【手続補正書】
【提出日】平成23年4月8日(2011.4.8)
【手続補正１】
【補正対象書類名】特許請求の範囲
【補正対象項目名】全文
【補正方法】変更
【補正の内容】
【特許請求の範囲】
【請求項１】
放射線の照射を受けることによって電荷を発生し、該電荷を蓄積することによって放射線画像を記録するとともに、多数の信号ラインを有し、該多数の信号ラインにより前記電荷に応じた放射線画像信号が読み出される放射線画像検出器から読み出された前記放射線画像信号に基づいて、信号量の閾値判定により欠陥信号ラインを検出し、
該欠陥信号ラインに近接する信号ラインを異常信号ラインとして設定するとともに、前記欠陥信号ラインに近接するとともに信号量が正常な信号ラインを参照信号ラインとして設定し、
前記異常信号ラインにより読み出された信号と前記参照信号ラインにより読み出された信号との差を補正量として算出し、
該算出した補正量から高周波成分を取り除いて低周波成分補正量を算出し、
該算出した低周波成分補正量を前記異常信号ラインにより読み出された信号に加算して補正することを特徴とする信号ライン補正方法。
【請求項２】
前記補正を前記欠陥信号ラインにより読み出された信号の補正前に行なうことを特徴とする請求項１記載の信号ライン補正方法。
【請求項３】
放射線の照射を受けることによって電荷を発生し、該電荷を蓄積することによって放射線画像を記録するとともに、多数の信号ラインを有し、該多数の信号ラインに流れ出した前記電荷に応じた信号が読取回路によって放射線画像信号として読み出される放射線画像検出器から読み出された前記放射線画像信号のうち、異常信号ラインから読み出された放射線画像信号に対し補正を施すライン補正方法において、
前記読取回路の最初の読取対象となる読取開始信号ラインを前記異常信号ラインとして設定するとともに、前記異常信号ラインに近接するとともに信号量が正常な信号ラインを参照信号ラインとして設定し、
前記異常信号ラインにより読み出された信号と前記参照信号ラインにより読み出された信号との差を補正量として算出し、
該算出した補正量から高周波成分を取り除いて低周波成分補正量を算出し、
該算出した低周波成分補正量を前記異常信号ラインにより読み出された信号に加算して補正することを特徴とする信号ライン補正方法。
【請求項４】
前記補正の後、該補正された信号に対し、前記信号ラインに並行な方向に延びるスジムラを除去する処理を施すことを特徴とする請求項１から３いずれか１項記載の信号ライン補正方法。
【請求項５】
放射線の照射を受けることによって電荷を発生し、該電荷を蓄積することによって放射線画像を記録するとともに、多数の信号ラインを有し、該多数の信号ラインにより前記電荷に応じた放射線画像信号が読み出される放射線画像検出器から読み出された前記放射線画像信号に基づいて、信号量の閾値判定により欠陥信号ラインを検出する欠陥信号ライン検出部と、
該欠陥信号ライン検出部により検出された欠陥信号ラインに近接する信号ラインを異常信号ラインとして設定する異常信号ライン設定部と、
前記欠陥信号ラインに近接するとともに信号量が正常な信号ラインを参照信号ラインとして設定する参照信号ライン設定部と、
前記異常信号ラインにより読み出された信号と前記参照信号ラインにより読み出された信号との差を補正量として算出する補正量算出部と、
該補正量算出部により算出された補正量から高周波成分を取り除いて低周波成分補正量を算出する低周波成分補正量算出部と、
該低周波成分補正量算出部より算出された低周波成分補正量を前記異常信号ラインにより読み出された信号に加算して補正する補正部とを備えたことを特徴とする信号ライン補正装置。
【請求項６】
前記補正部が、前記補正を前記欠陥信号ラインにより読み出された信号の補正前に行なうことを特徴とする請求項５記載の信号ライン補正装置。
【請求項７】
放射線の照射を受けることによって電荷を発生し、該電荷を蓄積することによって放射線画像を記録するとともに、多数の信号ラインを有し、該多数の信号ラインに流れ出した前記電荷に応じた信号が読取回路によって放射線画像信号として読み出される放射線画像検出器から読み出された前記放射線画像信号のうち、異常信号ラインから読み出された放射線画像信号に対し補正を施す信号ライン補正装置において、
前記読取回路の最初の読取対象となる読取開始信号ラインを前記異常信号ラインとして設定する異常信号ライン設定部と、
前記異常信号ラインに近接するとともに信号量が正常な信号ラインを参照信号ラインとして設定する参照信号ライン設定部と、
前記異常信号ラインにより読み出された信号と前記参照信号ラインにより読み出された信号との差を補正量として算出する補正量算出部と、
該補正量算出部により算出された補正量から高周波成分を取り除いて低周波成分補正量を算出する低周波成分補正量算出部と、
該低周波成分補正量算出部により算出された低周波成分補正量を前記異常信号ラインにより読み出された信号に加算して補正する補正部とを備えたことを特徴とする信号ライン補正装置。
【請求項８】
前記補正部が、前記補正の後、該補正された信号に対し、前記信号ラインに並行な方向に延びるスジムラを除去する処理を施すものであることを特徴とする請求項５から７いずれか１項記載の信号ライン補正装置。
【手続補正２】
【補正対象書類名】明細書
【補正対象項目名】発明の名称
【補正方法】変更
【補正の内容】
【発明の名称】信号ライン補正方法および装置
【手続補正３】
【補正対象書類名】明細書
【補正対象項目名】０００１
【補正方法】変更
【補正の内容】
【０００１】
本発明は、放射線画像検出器から読み出された放射線画像信号に対し、信号ラインを施す信号ライン補正方法および装置に関するものである。
【手続補正４】
【補正対象書類名】明細書
【補正対象項目名】００１３
【補正方法】変更
【補正の内容】
【００１３】
本発明の第１の信号ライン補正方法は、放射線の照射を受けることによって電荷を発生し、その電荷を蓄積することによって放射線画像を記録するとともに、多数の信号ラインを有し、その多数の信号ラインにより上記電荷に応じた放射線画像信号が読み出される放射線画像検出器から読み出された放射線画像信号に基づいて、信号量の閾値判定により欠陥信号ラインを検出し、その欠陥信号ラインに近接する信号ラインを異常信号ラインとして設定するとともに、欠陥信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正することを特徴とする。
【手続補正５】
【補正対象書類名】明細書
【補正対象項目名】００１４
【補正方法】変更
【補正の内容】
【００１４】
また、上記本発明の信号ライン補正方法においては、上記補正を欠陥信号ラインにより読み出された信号の補正前に行なうようにすることができる。
【手続補正６】
【補正対象書類名】明細書
【補正対象項目名】００１５
【補正方法】変更
【補正の内容】
【００１５】
本発明の第２の信号ライン補正方法は、放射線の照射を受けることによって電荷を発生し、その電荷を蓄積することによって放射線画像を記録するとともに、多数の信号ラインを有し、その多数の信号ラインに流れ出した上記電荷に応じた信号が読取回路によって放射線画像信号として読み出される放射線画像検出器から読み出された放射線画像信号のうち、異常信号ラインから読み出された放射線画像信号に対し補正を施す信号ライン方法において、
読取回路の最初の読取対象となる読取開始信号ラインを異常信号ラインとして設定するとともに、異常信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正することを特徴とする。
【手続補正７】
【補正対象書類名】明細書
【補正対象項目名】００１６
【補正方法】変更
【補正の内容】
【００１６】
また、上記第１および第２の信号ライン補正方法においては、上記補正の後、その補正された信号に対し、信号ラインに並行な方向に延びるスジムラを除去する処理を施すようにすることができる。
【手続補正８】
【補正対象書類名】明細書
【補正対象項目名】００１７
【補正方法】変更
【補正の内容】
【００１７】
本発明の第１の信号ライン補正装置は、放射線の照射を受けることによって電荷を発生し、その電荷を蓄積することによって放射線画像を記録するとともに、多数の信号ラインを有し、その多数の信号ラインにより上記電荷に応じた放射線画像信号が読み出される放射線画像検出器から読み出された放射線画像信号に基づいて、信号量の閾値判定により欠陥信号ラインを検出する欠陥信号ライン検出部と、欠陥信号ライン検出部により検出された欠陥信号ラインに近接する信号ラインを異常信号ラインとして設定する異常信号ライン設定部と、欠陥信号ラインに近接するとともに信号量が正常な信号ラインを参照信号ラインとして設定する参照信号ライン設定部と、異常信号ラインにより読み出された信号と参照信号ラインにより読み出された信号との差を補正量として算出する補正量算出部と、補正量算出部により算出された補正量から高周波成分を取り除いて低周波成分補正量を算出する低周波成分補正量算出部と、低周波成分補正量算出部より算出された低周波成分補正量を異常信号ラインにより読み出された信号に加算して補正する補正部とを備えたことを特徴とする。
【手続補正９】
【補正対象書類名】明細書
【補正対象項目名】００１８
【補正方法】変更
【補正の内容】
【００１８】
また、上記本発明の第１の信号ライン補正装置は、補正部を、上記補正を欠陥信号ラインにより読み出された信号の補正前に行なうものとすることができる。
【手続補正１０】
【補正対象書類名】明細書
【補正対象項目名】００１９
【補正方法】変更
【補正の内容】
【００１９】
本発明の第２の信号ライン補正装置は、放射線の照射を受けることによって電荷を発生し、その電荷を蓄積することによって放射線画像を記録するとともに、多数の信号ラインを有し、その多数の信号ラインに流れ出した上記電荷に応じた信号が読取回路によって放射線画像信号として読み出される放射線画像検出器から読み出された放射線画像信号のうち、異常信号ラインから読み出された放射線画像信号に対し補正を施す信号ライン補正装置において、読取回路の最初の読取対象となる読取開始信号ラインを異常信号ラインとして設定する異常信号ライン設定部と、異常信号ラインに近接するとともに信号量が正常な信号ラインを参照信号ラインとして設定する参照信号ライン設定部と、異常信号ラインにより読み出された信号と参照信号ラインにより読み出された信号との差を補正量として算出する補正量算出部と、補正量算出部により算出された補正量から高周波成分を取り除いて低周波成分補正量を算出する低周波成分補正量算出部と、低周波成分補正量算出部により算出された低周波成分補正量を異常信号ラインにより読み出された信号に加算して補正する補正部とを備えたことを特徴とする。
【手続補正１１】
【補正対象書類名】明細書
【補正対象項目名】００２０
【補正方法】変更
【補正の内容】
【００２０】
また、上記第１および第２の信号ライン補正装置においては、補正部を、上記補正の後、その補正された信号に対し、信号ラインに並行な方向に延びるスジムラを除去する処理を施すものとすることができる。
【手続補正１２】
【補正対象書類名】明細書
【補正対象項目名】００２１
【補正方法】変更
【補正の内容】
【００２１】
本発明の第１の信号ライン補正方法および装置によれば、信号量の閾値判定により欠陥信号ラインを検出し、その欠陥信号ラインに近接する信号ラインを異常信号ラインとして設定するとともに、欠陥信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正するようにしたので、放射線画像の高周波成分の情報を損失することなく異常信号ラインに読み出された信号の補正を行なうことができる。
【手続補正１３】
【補正対象書類名】明細書
【補正対象項目名】００２２
【補正方法】変更
【補正の内容】
【００２２】
また、上記本発明の信号ライン補正方法および装置において、異常信号ラインの補正を行う前に、欠陥信号ラインの補正を行おうとすると、異常信号ラインよりもさらに欠陥信号ラインから離れた位置にある信号ラインの信号を用いなければならないが、位置が欠陥信号ラインから離れることでアーティファクトが生じてしまう。そこで、異常信号ラインの信号の補正を欠陥信号ラインにより読み出された信号の補正前に行なうようにした場合には、欠陥信号ラインの補正を補正後の異常信号ラインの信号を用いて行うことができ、上記のようなアーティファクトが生じるのを回避することができる。
【手続補正１４】
【補正対象書類名】明細書
【補正対象項目名】００２３
【補正方法】変更
【補正の内容】
【００２３】
本発明の第２の信号ライン補正方法および装置によれば、読取回路の最初の読取対象となる読取開始信号ラインを異常信号ラインとして設定するとともに、異常信号ラインに近接するとともに信号量が正常な信号ラインを参照信号ラインとして設定し、異常信号ラインにより読み出された信号と参照信号ラインにより読み出された信号との差を補正量として算出し、その算出した補正量から高周波成分を取り除いて低周波成分補正量を算出し、その算出した低周波成分補正量を異常信号ラインにより読み出された信号に加算して補正するようにしたので、放射線画像の高周波成分の情報を損失することなく異常信号ラインに読み出された信号の補正を行なうことができる。
【手続補正１５】
【補正対象書類名】明細書
【補正対象項目名】００２４
【補正方法】変更
【補正の内容】
【００２４】
また、上記第１および第２の信号ライン補正方法および装置において、上記補正の後、その補正された信号に対し、信号ラインに並行な方向に延びるスジムラを除去する処理を施すようにした場合には、さらに補正残差を除去することができるので、放射線画像の情報をより適切に表わす放射線画像信号を取得することができる。なお、上記補正残差とは、参照信号ラインと異常信号ラインとの位置の相違に起因する放射線画像信号の差のことをいう。
【手続補正１６】
【補正対象書類名】明細書
【補正対象項目名】００２５
【補正方法】変更
【補正の内容】
【００２５】
以下、図面を参照して本発明の信号ライン補正装置の第１の実施形態を用いた乳房画像撮影表示システムについて説明する。本乳房画像撮影表示システムは、本システムが有する放射線画像検出器における線状電極の欠陥補正の方法に特徴を有するものであるが、まずは、そのシステム全体の概略構成について説明する。図１は、本乳房画像撮影表示システムの概略構成を示す図である。
【手続補正１７】
【補正対象書類名】明細書
【補正対象項目名】００５７
【補正方法】変更
【補正の内容】
【００５７】
次に、本発明の信号ライン補正装置の第２の実施形態を用いた乳房画像撮影表示システムについて説明する。本乳房画像撮影表示システムは、そのシステム全体の概略構成は、第１の実施形態を用いた乳房画像撮影表示システムと同様である。
【手続補正１８】
【補正対象書類名】明細書
【補正対象項目名】００７１
【補正方法】変更
【補正の内容】
【００７１】
【図１】本発明の信号ライン補正装置の第１および第２の実施形態を適用した乳房画像撮影表示システムの概略構成を示す図
【図２】図１の示す乳房画像撮影表示システムにおける乳房画像表示装置の概略構成を示すブロック図
【図３】図１に示す乳房画像撮影表示システムにおける放射線画像検出器の概略構成を示す斜視図
【図４】図３に示す放射線画像検出器の４−４線断面図
【図５】図３に示す放射線画像検出器の第２の電極層における遮光線状電極と読取回路を示す図
【図６】図５に示す読取回路の概略構成を示す図
【図７】図３に示す放射線画像検出器への放射線画像の記録の作用を説明するための図
【図８】図３に示す放射線画像検出器からの放射線画像の読取りの作用を説明するための図
【図９】図１に示す乳房画像撮影表示システムの作用を説明するためのフローチャート
【図１０】本発明の信号ライン補正装置の第２の実施形態を適用した乳房画像撮影表示システムにおける乳房画像表示装置の概略構成を示すブロック図
【図１１】本発明の信号ライン補正装置の第２の実施形態を適用した乳房画像撮影表示システムの作用を説明するためのフローチャート